(57)【要約】【課題】取り付け作業を簡単化した固定方法及び固定構造を提供することを課題としている。【解決手段】スラブコンクリートに雌ねじを切ったアンカーを打ち込んで固定し、該アンカーにねじを切ったねじ棒を螺合して取り付け、該ねじ棒の先端部に埋め込みボックスを取り付けて固定することを特徴とし、アンカーの打ち込みはスラブコンクリートの上に打設されたポーラス体の上から該スラブコンクリートにドリルで孔を開けて、該孔を先導孔としてアンカーを打ち込む。また、ボックスの固定手段は底部に雌ねじ孔を設けてねじ棒の先端部に切られた雄ねじと螺合可能にしている。【選択図】  図１
2004201395.tif 000002
【特許請求の範囲】
【請求項１】
スラブコンクリート打設後シンダーコンクリートを打設前に埋め込みボックスを固定する方法において、前記スラブコンクリートに雌ねじを切ったアンカーを打ち込んで固定し、該アンカーにねじを切ったねじ棒を螺合して取り付け、該ねじ棒の先端部に埋め込みボックスを取り付けて固定することを特徴とする埋め込みボックス固定方法。
【請求項２】
前記アンカーの打ち込みは、前記スラブコンクリートの上に打設されたポーラス体の上から該スラブコンクリートにドリルで孔を開けて、該孔を先導孔としてアンカーを打ち込むことを特徴とする請求項１に記載の埋め込みボックス固定方法。
【請求項３】
前記ボックスを取り付け後、シンダーコンクリートを打設前にボックス内へ配線接続するための配管をし、配管後にシンダーコンクリートを補強するためのラス網を敷設し、前記ボックスに養生蓋を設け、その後にシンダーコンクリートを打設するようにしたことを特徴とする請求項１又は請求項２の何れか１に記載の埋め込みボックス固定方法。
【請求項４】
スラブコンクリートに打ち込んで固定されたアンカーと、該アンカーに螺合して固定したねじ棒と、該ねじ棒の先端部に埋め込みボックスを取り付けて固定する固定手段とを具備したことを特徴とする埋め込みボックス固定構造。
【請求項５】
前記固定手段は埋め込みボックスの底部の略中央に雌ねじ孔を設けて前記ねじ棒の先端部に切られた雄ねじと螺合可能にしたことを特徴とする請求項４に記載の埋め込みボックス固定構造。
【請求項６】
前記固定手段は埋め込みボックスの底部に前記ねじ棒の先端が挿入可能な孔を設けて、該ねじ棒の先端部に切られた雄ねじにナットを螺合させて固定可能にしたことを特徴とする請求項４に記載の埋め込みボックス固定構造。
【請求項７】
前記埋め込みボックスは埋め込み式のコンセントボックス又は埋め込み式の配線用ボックスであることを特徴とする請求項４〜請求項６の何れか１に記載の埋め込みボックス固定構造。
【発明の詳細な説明】
【０００１】
【発明の属する技術分野】
この発明は、床埋め込みボックス固定技術の分野に属する。
【０００２】
【従来の技術】
従来から店舗や事務室等の電気配線設備を床上に設ける場合はコンセントボックス又は配線用ボックスを配線管（又は電線管）と共に床コンクリートの中に埋め込んで設置し、床表面近くに設けられる照明機器、計算機端末等の電気機器等はそれらのボックスから電気コードにより接続するというやり方が行われている。このボックスを埋設するコンクリート工事は基礎コンクリート（いわゆるスラブコンクリート）を打設し、その後にシンダーコンクリート等の表面仕上げコンクリートを打設する作業が行われる。その際にシンダ−コンクリート量を減らしてコストダウンを図るため、シンダーコンクリート打設前にポーラス体等を中間に敷設してからシンダーコンクリートを打設することが多く行われている。そして、スラブコンクリート及びポーラス体を打設後、シンダーコンクリートの打設前にボックス及び配線管の取り付け工事が行われる。シンダーコンクリート打設作業を促進するために、ひいては建設期間を短縮するために、取り付け工事の期間は短く、短期間で行わなければならないという制約が課されている場合が多い。
【０００３】
コンセントボックス等のボックスの改良については従来からよく行われてきた。例えば、床用配線器具（公開公報、特開２０００−３０８２３９）、埋め込みコンセントボックス（公開公報、特開２００１−１２８３３２）等がある。しかし、ボックスをスラブコンクリートに固定する取り付け方法や固定構造についてはあまり改良が行われてこなかった。従来の固定方法としては、例えば公開特許公報（特開平５−１２２８２０）に開示されている方法がある。図５は上記公報記載のコンセントボックスの従来の固定構造の分解図を示し、図６は組立て図を示す。以下、図５、図６を用いて上記公報に記載されているコンセントボックスの固定方法について簡略に説明する。
【０００４】
図５において、３１はコンセントボックスで、コンセントボックス３１には電気配線の配管３４を挿入する穴（又は、穴を開けるための切り込み）３１ａがコンセントボックス３１の側壁に複数個設けられている。また、ベース枠３２ａ、スペース枠３２ｃ、水平高低調整枠３２ｂを重ね合わせて構成されるスペーサ本体３２がコンセントボックス３１の上側にねじで固定される。更に、コンセントボックス３１の下側には１対の固定脚３３がねじで固定されるように構成されている。
【０００５】
固定方法は、先ず固定脚３３をスラブコンクリート（基礎コンクリート）に固定する。固定脚３３をスラブコンクリートに固定する固定方法は上記公開公報には記載されていないが、一般に以下のように行われる。即ち、スラブコンクリートの上にはポーラス体が敷設されているので、ポーラス体の上からコンセントボックス３１の配置位置を決定するために墨だし作業を行って位置を決定する。墨だし作業の後で、強度の弱いポーラス体を掻き取りスラブコンクリートの表面出し作業を行う。その後で、固定脚３３をスラブコンクリートに固定する。この固定手段は、例えば、はスラブコンクリートにアンカーを打ち込んでねじ止めするか、或いはコンクリート用の釘を打ち込んで固定するようにしてもよい。
【０００６】
固定された一対の固定脚３３の上側にコンセントボックス３１を載せて（ナット等で）ねじ止めする。更に、コンセントボックス３１の上側縁にスペーサ本体３２をねじで止める。次に、スペーサ本体３２の開口部に仮蓋をする。この状態で仕上げコンクリート打ちをしてコンセントボックス３１をコンクリートの中に埋め込む。
【０００７】
【発明が解決しようとする課題】
以上に説明した従来方法によれば、スラブコンクリートの表面を出すためにポーラス体を切断し、掻き取る作業が必要となり、また、固定脚をスラブコンクリートの表面に固定するために複数箇所の固定作業が必要になり、全体として固定作業が煩雑になるという課題があった。しかも、コンセントボックスを多数（例えば数百個）を固定するには全体の取り付け作業が複雑になると共にコスト高にもなり、更に、取り付け工事の期間は短い場合は多くの人手が必要になるといいう課題もあった。本発明は取り付け作業を簡単化した固定方法及び固定構造を提供することを課題としている。
【０００８】
【課題を解決するための手段】
上記課題を解決するために本発明は以下の手段を採用している。即ち、
請求項１記載の発明は、スラブコンクリート打設後シンダーコンクリートを打設前に埋め込みボックスを固定する方法において、前記スラブコンクリートに雌ねじを切ったアンカーを打ち込んで固定し、該アンカーにねじを切ったねじ棒を螺合して取り付け、該ねじ棒の先端部に埋め込みボックスを取り付けて固定することを特徴としている。
請求項１記載の発明はスラブコンクリートに雌ねじを切ったアンカーを打ち込んで固定の基礎とした点に主な特徴がある。
【０００９】
請求項２に記載の発明は、請求項１の発明において、前記アンカーの打ち込みは、前記スラブコンクリートの上に打設されたポーラス体の上から該スラブコンクリートにドリルで孔を開けて、該孔を先導孔としてアンカーを打ち込むことを特徴としている。
【００１０】
請求項３記載の発明は、請求項１又は請求項２に記載の発明において、前記ボックスを取り付け後、シンダーコンクリートを打設前にボックス内へ配線接続するための配管をし、配管後にシンダーコンクリートを補強するためのラス網を敷設し、前記ボックスに養生蓋を設け、その後にシンダーコンクリートを打設するようにしたことを特徴としている。
【００１１】
請求項４記載の発明は、スラブコンクリートに打ち込んで固定されたアンカーと、該アンカーに螺合して固定したねじ棒と、該ねじ棒の先端部に埋め込みボックスを取り付けて固定する固定手段とを具備したことを特徴としている。
【００１２】
請求項５記載の発明は、請求項４に記載の発明において、前記固定手段は埋め込みボックスの底部に雌ねじ孔を設けて前記ねじ棒の先端部に切られた雄ねじと螺合可能にしたことを特徴とする請求項４に記載の埋め込みボックス固定構造。
請求項６記載の発明は、請求項４に記載の発明において、前記固定手段は埋め込みボックスの底部に前記ねじ棒の先端が挿入可能な孔を設けて、該ねじ棒の先端部に切られた雄ねじにナットを螺合させて固定可能にしたことを特徴としている。
【００１３】
請求項７記載の発明は、請求項４又は請求項５に記載の発明において、前記埋め込みボックスは埋め込み式のコンセントボックス又は埋め込み式の配線用ボックスであることを特徴とする。
【００１４】
【発明の実施形態】
図１は本発明の実施形態における埋め込みボックスの固定構造を示し、図２〜図４は固定方法の手順を作業順に示した図である。図１において、１１は埋め込みボックスで、埋め込みボックス１１の底部略中央にはねじ棒１３の頭部１３ａと螺合する雌ねじ孔１１ａが設けられていると共に、側面壁には配管のための打ち抜き穴１１ｂが設けられている。また、埋め込みボックス１１の上側縁の内側にはコンセント板、塗代カバー又はその他のカバー等１５を取り付けるための雌ねじ穴を設けた突片１１ｃが設けられている。なお、突片１１ｃの雌ねじ穴を利用して後述する養生蓋を取り付けることができるようになっている。
【００１５】
１３はねじ棒で、ねじ棒１３の頭部には雌ねじ孔１１ａと螺合する雄ねじ１３ａが切られており、下部にはホールインアンカー１６の上部内側に設けられた雌ねじ１６ａと螺合する雄ねじ１３ｂが切られている。ホールインアンカー１６は先ずドリルで孔を開けて、そのドリル孔に打ち込むときに打ち込みが容易でしかも固定が確実になるように構成されている。
【００１６】
本実施形態の固定構造は上記のように構成されており、これを利用した埋め込みボックスの固定方法を作業手順に従って説明する。図２〜図４において、先ずステップ（ａ）では埋め込みボックス１１を配置する場所を決定し、ポーラス体２１の上に墨出し線２２を描き、配置場所にドリル２３によりポーラス体２１を貫通して、スラブコンクリート２０に孔２４をあける。ステップ（ｂ）では、開けられた孔２４にホールインアンカー１６を打ち込む。打ち込んだ後にホールインアンカー１６の頭部を切り取って雌ねじ部１６ａを露出させる。ステップ（ｃ）では雄ねじ棒１３をホールインアンカー１６の雌ねじ部１６ａに螺合させる。ステップ（ｄ）では雄ねじ棒１３を適度の位置まで進入させて雄ねじ棒１３を固定する。
【００１７】
ステップ（ｅ）では、固定された雄ねじ棒１３の頭部に埋め込みボックス１１の底部に設けられた雌ねじ孔１１ａを螺合させて固定する。ステップ（ｆ）では固定された埋め込みボックス１１に電気線（又は電気コード）を通すための配管２５を接続する作業を行う。配管作業の終了後のステップ（ｇ）ではシンダーコンクリートを補強するためのラス網を全面に敷設する。この際埋め込みボックス１１がラス網の上に出るように敷設する。また、シンダーコンクリートが埋め込みボックス１１の内部に入り込まないように埋め込みボックス１１に養生蓋２７を取り付ける。養生蓋２７の取り付けは埋め込みボックス１１の上縁に設けられた突片を利用しても良いし、或いは塗代カバーや調整治具を取り付けた上に養生蓋２７を取り付けるようにしてもよい。
【００１８】
最後にステップ（ｈ）では、シンダーコンクリート２８をラス網２６の上から打設し、表面を所定のレベルに合わせるようにする。シンダーコンクリート２８の乾燥後適宜の時期に養生蓋２７を除去する。これによって埋め込みボックス１１の埋め込み作業は終了し、以後はコンセントの取り付け、又は電気配線等の作業を行う。
【００１９】
以上に説明した固定構造及び固定手順から明らかなように、本実施形態によれば以下のような有益な効果が得られる。即ち、ポーラス体の上からスラブコンクリート２０にドリルで孔２４を開けて、ホールインアンカーを打ち込むようにしたので、上記に述べた従来技術におけるポーラス体の切断作業やポーラス体の掻き取り作業が不要となったために作業能率が大幅に向上するという効果がある。更に、ボックス固定の基礎として１本のねじ棒をホールインアンカーに螺合して固定するだけでよく、上記従来技術のように複数箇所を固定する必要がないので一層作業能率が向上するという効果がある。また、固定手段としては、従来技術のように固定脚を必要とせず１本のねじ棒だけでよいので、部品のコストも安くなるという効果も得られる。
【００２０】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、埋め込みボックスの固定手段は該ボックスの底部に雌ねじ穴を設けて螺合させて固定したが、これに限定されるものではない。該ボックスの底部に１又は複数の穴を設けてナットで固定してもよいし、他の固定手段によって固定してもよい。また、埋め込みボックスは金属製であってもよいし、樹脂製にしてもよい。
【００２１】
【発明の効果】
本発明（請求項１に記載の発明）は、スラブコンクリートに雌ねじを切ったアンカーを打ち込んで固定し、該アンカーにねじを切ったねじ棒を螺合して取り付け、該ねじ棒の先端部に埋め込みボックスを取り付けて固定したので、固定作業が簡単化されて作業能率の大幅な向上が図れると共に部品のコストも低減するという効果も得られる。
【図面の簡単な説明】
【図１】本発明を実施した実施形態の固定構造の分解図を示す。
【図２】本実施形態の固定作業を示す。
【図３】図２に示した固定作業の続きを示す。
【図４】図３に示した固定作業の続きを示す。
【図５】従来の固定構造の分解図を示す。
【図６】従来の固定構造の組立て図を示す。
【符号の説明】
１１        埋め込みボックス
１３        ねじ棒
１６        ホールインアンカー
２０        スラブコンクリート（基礎コンクリート）
２１        ポーラス体
２５        配線管
２６        ラス網
２７        養生蓋
２８        シンダーコンクリート（表面仕上げコンクリート）
【図１】
2004201395.tif 000003
【図２】
2004201395.tif 000004
【図３】
2004201395.tif 000005
【図４】
2004201395.tif 000006
【図５】
2004201395.tif 000007
【図６】
2004201395.tif 000008